(57)【特許請求の範囲】
【請求項１】
筐体と、
前記筐体に設けられねじ挿通孔が形成された取り付け座と、
前記筐体に組み込まれ被写体像を撮像する撮像部とを備え、
前記ねじ挿通孔に挿通したねじの頭部を前記ねじ挿通孔の周囲の係止面に係止させ前記ねじの雄ねじを被取り付け面の雌ねじに螺合することで前記筐体が前記被取り付け面に取着され、
前記筐体に、前記係止面に対向する壁部が設けられ、
前記ねじ挿通孔に対向する前記壁部の箇所に前記ねじの頭部よりも大きい内径の貫通孔が設けられ、
前記貫通孔の周囲の前記壁部の箇所で周方向に間隔をおいた複数箇所から前記係止面方向に延在し前記貫通孔の径方向に弾性変形可能な複数の脚片が設けられ、
前記複数の脚片の延在方向の端部は、それらの内周を結ぶ想像線の内径が前記ねじの頭部の外径よりも小さい寸法で形成されている、
撮像装置。
【請求項２】
前記複数の脚片の端部と前記係止面との間は、前記ねじの頭部の高さよりも大きな寸法が確保されている、
ことを特徴とする請求項１記載の撮像装置。
【請求項３】
前記複数の脚片の内周を結ぶ想像線の内径は、前記複数の脚片の延在方向の端部に至るにつれて次第に小さくなる寸法で形成されている、
ことを特徴とする請求項１記載の撮像装置。
【請求項４】
前記ねじ挿通孔を挟んだ前記係止面と反対の前記取り付け座の箇所に、前記被取り付け面に当て付けられる当て付け面が形成され、
前記当て付け面が前記被取り付け面に当て付けられた状態で前記筐体が前記被取り付け面に取着される、
ことを特徴とする請求項１記載の撮像装置。
【請求項５】
前記貫通孔は前記ねじ挿通孔と同軸上に設けられている、
ことを特徴とする請求項１記載の撮像装置。
【請求項６】
前記筐体は合成樹脂製であり、
前記複数の脚片は前記筐体に一体に形成されている、
ことを特徴とする請求項１記載の撮像装置。
【請求項７】
前記撮像装置は、前記筐体が、下方を向いた前記被取り付け面に取着される監視カメラ装置である、
ことを特徴とする請求項１記載の撮像装置。
【発明の詳細な説明】
【技術分野】
【０００１】
本発明は撮像装置に関する。
【背景技術】
【０００２】
建物や室内の天井面などに取り付けて使用する撮像装置として、外装を構成する筐体と、該筐体に組み込まれ被写体像を撮像して画像データを生成する撮像部が組み込まれたものが提供されている（特許文献１参照）。
多くの場合、筐体にねじ挿通孔が形成され、ねじ挿通孔に挿通したねじの雄ねじ部を天井面などの被取り付け面の雌ねじに螺合することで、筐体が被取り付け面に取着されるように構成されている。
【特許文献１】特開２０００−１５５３６６
【発明の開示】
【発明が解決しようとする課題】
【０００３】
しかしながら、撮像装置は天井面に取り付けられることが多く、したがって、被取り付け面は鉛直方向下方を向いていることから、ねじの雄ねじ部を雌ねじに当て付けつつねじの頭部にドライバを係合させる際に、誤ってねじを落下させてしまうことがある。
特に、撮像装置を天井や天井近傍の壁面などに取り付ける際には、作業者が脚立やはしごなどの高所にいることから、ねじが落下してしまうと、作業者が脚立やはしごからいったん降りて床の上に落下したねじを取り上げ、再び、脚立やはしごなどの高所に登らなくてはならず、取り付け作業の効率化を図る上でも作業者の疲労度の軽減を図る上でも問題となっている。
本発明は、このような事情に鑑みなされたもので、その目的は、取り付け作業の効率化、作業者の疲労度の軽減を図る上で有利な撮像装置を提供することにある。
【課題を解決するための手段】
【０００４】
上記目的を達成するために本発明は、筐体と、前記筐体に設けられねじ挿通孔が形成された取り付け座と、前記筐体に組み込まれ被写体像を撮像して画像データを生成する撮像部とを備え、前記ねじ挿通孔に挿通したねじの頭部を前記ねじ挿通孔の周囲の係止面に係止させ前記ねじの雄ねじを被取り付け面の雌ねじに螺合することで前記筐体が前記被取り付け面に取着され、前記筐体に、前記係止面に対向する壁部が設けられ、前記壁部に前記ねじ挿通孔と同軸上で前記ねじの頭部よりも大きい内径の貫通孔が設けられ、前記貫通孔の周囲の前記壁部の箇所で周方向に間隔をおいた複数箇所から前記係止面方向に延在し前記貫通孔の径方向に弾性変形可能な複数の脚片が設けられ、前記複数の脚片の延在方向の端部は、それらの内周を結ぶ想像線の内径が前記ねじの頭部の外径よりも小さい寸法で形成されている。
【発明の効果】
【０００５】
本発明によれば、取り付け座の貫通孔の周囲に設けた複数の脚片によりねじの落下を防止できりため、撮像装置の取り付け作業の効率化、作業者の疲労度の軽減を図る上で有利となる。
【発明を実施するための最良の形態】
【０００６】
以下、本発明の実施の形態を図面に基づいて詳細に説明する。
図１は本実施の形態の撮像装置１０の斜視図、図２撮像装置１０の断面図、図３はドームカバー１８の断面図、図４はドーム型カバー１８を外した撮像装置１０の平面図、図５は図４のＡＡ線断面図である。
図６は回転支持機構１４から内カバー３０を外した状態を示す側面図、図７は図６の平面図である。
【０００７】
本実施の形態では、撮像装置１０は、室内あるいは建物の天井や壁面に取着され、室内や屋外の被写体の監視あるいは観察を行う監視カメラである。
図１、図２に示すように、撮像装置１０は、筐体１２と、回転支持機構１４と、撮像部１６と、ドーム型カバー１８などを含んで構成されている。
【０００８】
筐体１２は、本体ケース２０を有している。
本体ケース２０は、アルミダイカスト製であり、上壁２６と、上壁２６の周囲から起立された円筒状の周壁２８とを備えている。
【０００９】
本体ケース２０には、基板２２が収容されている。
基板２２は、周壁２８の内径よりも小さい寸法のほぼ円板状を呈し、上壁２６と間隔をおいて平行した状態で配設されている。
基板２２は、後述する制御系の大部分を構成するものであり、プリント基板に複数の電子部品が実装されることで構成されている。
【００１０】
図２に示すように、回転支持機構１４は本体ケース２０に収容されており、基台部１４Ａと、第１支持部材１４Ｂと、第２支持部材１４Ｃと、基板カバー２４を備えている。
基台部１４Ａは、平面視した状態で基板２２よりも小さい寸法の直径の円筒壁部１４０２を有している。
円筒壁部１４０２の上端から半径方向外方に取り付け片１４０４が延在形成されている。
取り付け片１４０４は、基板２２と共にねじにより上壁２６から突設された複数のボス部（図略）に締結され、基台部１４Ａは基板２２の中心軸と同軸上に位置した状態で本体ケース２０に取着されている。
また、基台部１４Ａに基板カバー２４が取着されている。
基板カバー２４は、図７に示すように、本体ケース２０の周壁２８の内周と、基台部１４Ａの円筒壁部１４０２の外周との間で基板２２を覆うものであり環板状を呈している。
基板カバー２４は、基板カバー２４の内周部に形成された係合爪（図略）が、円筒壁部１４０２の外周に設けられた係合溝に係合することで基台部１４Ａに取着されている。
なお、本実施の形態では、基台部１４Ａと基板カバー２４とは、筐体１２の一部を構成している。
第１支持部材１４Ｂは、基台部１４Ａの中心軸である第１の仮想軸Ｘ回りに回動可能に基台部１４Ａに連結されている。
第２支持部材１４Ｃは、第１支持部材１４Ｂに対して第１の仮想軸Ｘと直交する第２の仮想軸Ｙ回りに回動可能に連結されている。
本実施の形態では、図２、図４に示すように、第２支持部材１４を覆う内カバー３０が第１支持部材１４Ｂに取着されており、内部カバー３０には、撮像部１６の第２の仮想軸Ｙ回りの回転を許容する切り欠き３００２が形成されている。
【００１１】
撮像部１６は、被写体像を撮像して撮像信号を生成するものである。
撮像部１６は、第２支持部材１４Ｃに収容保持されており、したがって、撮像部１６は回転支持機構１４を介して筐体１２に対して第１、第２の仮想軸Ｘ、Ｙ周りに回転可能に支持されている。
したがって、撮像部１６を手で動かすことにより撮像光学系１５の光軸を任意の方向に向けることができ、撮像部１６から手を離すと回転支持機構１４により撮像部１６の姿勢はそのまま維持され、撮像光学系１５の向きが固定された状態となる。
撮像部１６は、撮像光学系１５を収容する鏡筒１６Ａを含んで構成され、鏡筒１６Ａには撮像光学系１５によって導かれた被写体像を撮像して撮像信号を生成する撮像素子３２（図８）が組み込まれている。
【００１２】
ドーム型カバー１８は、筐体１２に装脱可能に取着され、回転支持機構１４、撮像部１６を覆うものである。
ドーム型カバー１８は、図２、図３に示すように、ドーム部１８Ａと、外周部１８Ｂとを備えている。
ドーム部１８Ａは、透明な合成樹脂などによって形成され、撮像部１６の撮像光学系１５による撮像を可能としている。
外周部１８Ｂは、ドーム部１８Ａの外周に環状に延在形成され、不透明な合成樹脂材料で形成され、外周部１８Ｂの内部が視認されないようにしている。
本実施の形態では、図３に示すように外周部１８Ｂの内周面に周方向に間隔をおいて複数個突設された係合凸部１８０２が、図６に示すように、本体ケース２０の周壁２８の下端に突設された係合片部２８０２に係合することでドーム型カバー１８が筐体１２に取着される。
【００１３】
次に、撮像装置１０の制御系について説明する。
図８は撮像装置１０の制御系の構成を示すブロック図である。
図８に示すように、撮像装置１０は、上記の撮像光学系１５、鏡筒１６、撮像素子３２に加えて、画像処理部３４、ネットワーク用通信部３６、ネットワーク用コネクタ３８、インターフェース用通信部４０、インターフェース用コネクタ４２、電源部４４、第１コネクタ４６Ａ、第２コネクタ４６Ｂ、オーディオ信号処理部４８、オーディオ入力用コネクタ５０Ａ、オーディオ出力用コネクタ５０Ｂ、制御部５２、パワーランプ５４、ネットワークランプ５６などを備えている。
画像処理部３４は撮像素子３２から供給される撮像信号に対して所定の信号処理を行い所定の画像データ（静止画データ、動画データ）を生成するものであり、生成した画像データを制御部５２に供給する。
【００１４】
ネットワーク用通信部３６は、ネットワーク用コネクタ３８とそのネットワーク用コネクタ３８に接続されたネットワーク用ケーブルを介して外部装置（サーバなどのホスト装置）に接続され、双方向に通信を行うことで、制御部５２と前記ホスト装置との間で情報の授受を行なうものである。
本実施の形態では、ネットワーク用通信部３６は例えばＬＡＮ、イーサネット(登録商標)によって通信を行う。
前記外部装置に送信する情報としては、画像データや後述するオーディオデータが含まれ、外部装置から受信する情報としては、撮像された画像データの明るさや色調などの調整などを指示する制御コマンド、あるいは、外部装置に入力されたオーディオデータなどが含まれる。
インターフェース用通信部４０はインターフェース用コネクタ４２に接続され、インターフェース用コネクタ４２を介して外部装置と双方向に通信を行うことで、制御部５２と前記外部装置との間で情報の授受を行なうものであり、例えば、撮像装置１０の保守作業の際に使用される。
【００１５】
電源部４４は第１、第２コネクタ４８Ａ、４８Ｂに接続され、第１、第２コネクタ４８Ａ、４８Ｂを介して外部の電源装置から電源ケーブル（図略）を介して供給される電力を所定の電圧、電流に調整し、撮像素子３２、画像処理部３４、ネットワーク用通信部３６、インターフェース用通信部４０、オーディオ信号処理部４８、制御部５２などに供給するものである。
電源部４４は３種類の電力を選択的に使用可能である。すなわち、第１コネクタ４６Ａを介して供給される交流電力あるいは直流電力、および、第２コネクタ４６Ｂを介して供給されるネットワーク用の電力の３種類の何れか１つを使用する。
【００１６】
オーディオ信号処理部４８は、制御部５２によって制御されオーディオ入力用コネクタ５０Ａとオーディオ出力用コネクタ５０Ｂに接続されている。
オーディオ信号処理部４８は、オーディオ入力用コネクタ５０Ａに接続されたマイクロフォンなどから入力されるオーディオ信号をデジタル信号に変換して制御部５２に供給するとともに、制御部５２から供給されるデジタル信号のオーディオ信号をアナログ信号に変換してオーディオ出力用コネクタ５０Ｂに接続されたスピーカーなどに供給することで音響を発生させる。
パワーランプ５４は、電源のオン、オフを点灯、滅灯によって示すインジケータランプである。
【００１７】
また、ネットワークランプ５６は、ネットワーク接続動作中か否かを点灯、滅灯によって示すインジケータランプである。
これらパワーランプ５４、ネットワークランプ５６は例えば、本体ケース２０あるいは基板カバー２４の表面に臨むように設けられている。
また、上述したネットワーク用コネクタ３８、インターフェース用コネクタ４２、第１コネクタ４６Ａ、第２コネクタ４６Ｂ、オーディオ入力用コネクタ５０Ａ、オーディオ出力用コネクタ５０Ｂ、パワーランプ５４、ネットワークランプ５６は、図示を省略したが、本体ケース２０あるいは基板カバー２４の表面に臨むように設けられている。
【００１８】
制御部５２は、画像処理部３４、ネットワーク用通信部３６、インターフェース用通信部４０、電源部４４、オーディオ信号処理部４８、パワーランプ５４、ネットワークランプ５６の制御を行なうものであり、ＣＰＵやＲＯＭ、ＲＡＭ、インターフェース用ＬＳＩを含むマイクロコンピュータを含んで構成されている。
すなわち、制御部５２は、画像処理部３４から供給される画像データや、オーディオ入力用コネクタ５０Ａからオーディオ信号処理部４８を介して入力されるオーディオ信号をネットワーク用通信部３６、ネットワーク用コネクタ３８を介して外部装置に供給する。
また、制御部５２は、外部装置からネットワーク用コネクタ３８、ネットワーク用通信部３６を介して供給される音声データをオーディオ信号処理部４８、オーディオ出力用コネクタ５０Ｂを介してスピーカーに供給して音響を発生させる。
【００１９】
図９（Ａ）乃至（Ｄ）は図４のＢＢ線断面を示す図であり、（Ａ）はねじ２の頭部４が貫通孔６８に挿入された状態を示す説明図、（Ｂ）はねじ２の頭部４が脚片７０を押し広げた状態を示す説明図、（Ｃ）はねじ２の頭部４が脚片７０の端部７２に当接した状態を示す説明図、（Ｄ）はねじ２の頭部４が係止面６２に係止した状態を示す説明図である。
筐体１２は、撮像装置１０を天井面Ｔ（図５）に取り付けるための取り付け座５８を有している。
本実施の形態では、図４、図５に示すように、取り付け座５８は上壁２６の周方向に間隔をおいた２箇所に設けられている。
取り付け座５８にはそれぞれねじ挿通孔６０が形成されている。
ねじ挿通孔６０にはねじ２が挿通される。
ねじ２は、頭部４と、頭部４の下面に設けられた頭部４よりも大径のワッシャ５と、頭部４の下面から延在する雄ねじ部６とを有している。
ねじ挿通孔６０の延在方向の一方の端部に位置する取り付け座５８箇所に、ねじ２の頭部４（ワッシャ５）が係止される係止面６２が形成されている。
ねじ挿通孔６０の延在方向の他方の端部に位置する取り付け座５８箇所に、天井面Ｔに当て付けられる当て付け面６４が形成されている。
【００２０】
基板カバー２４に、係止面６２に対向する壁部６６が設けられている。
ねじ挿通孔６０に対向する壁部６６の箇所に、ねじ２の頭部４よりも大きい内径の貫通孔６８が設けられている。
本実施の形態では、貫通孔６８はねじ挿通孔６０と同軸上に設けられている。
貫通孔６８の周囲の壁部６６の箇所で周方向に間隔をおいた複数箇所に、係止面６２方向に延在し貫通孔６８の径方向に弾性変形可能な複数の脚片７０が設けられている。
筐体１２は合成樹脂製であり、複数の脚片７０は筐体１２に一体に形成されている。
本実施の形態では、脚片７０が１８０度の位相をずらして２つ設けられている。
複数の脚片７０の端部７２と係止面６２との間は、ねじ２の頭部４の高さよりも大きな寸法が確保されている。
【００２１】
複数の脚片７０の延在方向の端部７２は、それらの内周を結ぶ想像線の内径がねじ２の頭部４の外径よりも小さい寸法で形成されている。
複数の脚片７０の内周を結ぶ想像線の内径は、複数の脚片７０の延在方向の端部に至るにつれて次第に小さくなる寸法で形成されている。
また、脚片７０は、該脚片７０の延在方向の端部７２に至るにつれて肉厚が次第に大きくなるように形成されている。
【００２２】
次に撮像装置１０の取り付け方法について説明する。
図１０は図９（Ａ）からねじ２を取り除いたＺ１矢視図、図１１は図９（Ｂ）のＺ２矢視図、図１２は図９（Ｄ）のＺ３矢視図である。
図５に示すように、撮像装置１０を取り付ける天井面Ｔに予め取付金具８０が取着されており、取付金具８０には、撮像装置１０の取り付け座５８のねじ挿通孔６０に対応した箇所にそれぞれ雌ねじ８２が設けられている。
取り付けに先立って、図４、図５に示すように、撮像装置１０からドーム型カバー１８を取り外しておく。
この状態で、撮像装置１０の筐体１２の上壁２８を取付金具８０に臨ませ、図１０に示すように、取り付け座５８のねじ挿通孔６０と取付金具８０の雌ねじ８２とを合致させる。
次いで、ドライバの先端をねじ２の頭部４に係合させた状態で、図９（Ａ）、図１１に示すように、ねじ２の雄ねじ部６を貫通孔６８からねじ挿通孔６０に向けて挿入する。
さらに、ねじ２の頭部４を押し込むと、図９（Ｂ）、図１２に示すように、ワッシャ５の外周が各脚片７０の内側に当接し、各脚片７０を押し広げる。
さらにねじ２の頭部４を押し込むことで、図９（Ｃ）に示すように、ワッシャ５の外周が各脚片７０の端部７２を乗り越える。
このようにワッシャ５が各脚片７０の端部７２を乗り越えた状態で、ドライバの先端がねじ２の頭部４から外れても、ワッシャ５の外周が各脚部７０の端部７２に係合し、これにより貫通孔６８からのねじ２の脱落防止が図られる。
本実施の形態では、ねじ２のワッシャ５が各脚部７０の端部７２に当接した状態で雄ねじ部６の先端が雌ねじ８２に臨んでいる。
ここで、ドライバによりねじ２の頭部４を回転して雄ねじ部６を雌ねじ８２に螺合することで、図９（Ｄ）、図１２に示すように、ねじ２のワッシャ５が係止面６２に当接すると共に、当て付け面６４が取付金具８０を介して天井面Ｔに当て付けられる。
これにより、筐体１２が取り付け座５８を介して天井面Ｔに取着される。
次いで、図２に示すように、ドーム型カバー１８を筐体１２に取り付けることで撮像装置１０の取り付けが完了する。
【００２３】
以上説明したように本実施の形態によれば、取り付け座５８の貫通孔６８の周囲に複数の脚片７０を設けたので、ねじ２の頭部４が脚片７０を押し広げたのち、頭部４の外周が脚部７０の端部７２に係合することでねじ２の落下を防止することができる。
したがって、撮像装置１０を天井面や天井近傍の壁面などに取り付ける際に、誤ってねじを落下させた場合、作業者が脚立やはしごからいったん降りて床の上に落下したねじを取り上げ、再び、脚立やはしごなどの高所に登るといった煩雑な作業を防止でき、これにより、撮像装置１０の取り付け作業の効率化、作業者の疲労度の軽減を図る上で有利となる。
また、筐体１２に脚片７０を設けるといった極めて簡素な構成で済むため、撮像装置１０のコストアップを抑制する上でも有利となる。
【００２４】
次に、脚片７０の変形例について説明する。
これらの変形例は実施の形態と同様に、ねじ２の貫通孔６８への挿入を可能とし、かつ、ねじ２の落下の防止を図ったものである。
すなわち、複数の脚片７０は、係止面６２方向に延在し貫通孔６８の径方向に弾性変形可能であり、複数の脚片７０の延在方向の端部７２は、それらの内周を結ぶ想像線の内径がねじ２の頭部４の外径よりも小さい寸法で形成されている。
図１３（Ａ）に示す第１の変形例では、脚片７０は、該脚片７０の延在方向にわたって脚片７０の肉厚が均一に形成されている。
複数の脚片７０の内周を結ぶ想像線の内径は、複数の脚片７０の延在方向の端部に至るにつれて次第に小さくなる寸法で形成されている。
図１３（Ｂ）に示す第２の変形例では、脚片７０は、該脚片７０の端部７２寄りの箇所に傾斜部７００２が形成されている。
複数の脚片７０の傾斜部７００２の内周を結ぶ想像線の内径は、複数の脚片７０の延在方向の端部に至るにつれて次第に小さくなる寸法で形成されている。
【００２５】
図１３（Ｃ）に示す第３の変形例では、脚片７０は、該脚片７０の端部７２寄りの箇所に内周に向けて曲面７００２が形成されている。
複数の脚片７０の曲面７００２の内周を結ぶ想像線の内径は、複数の脚片７０の延在方向の端部に至るにつれて次第に小さくなる寸法で形成されている。
図１３（Ｄ）に示す第４の変形例では、脚片７０は、該脚片７０の端部７２寄りの箇所に傾斜部７００２と、傾斜部７００２に接続され端部７２を至る平坦部７００６とで形成されている。
平坦部７００６の内周を結ぶ想像線の内径は、複数の脚片７０の延在方向に沿って一定となる寸法で形成されている。
複数の脚片７０の傾斜部７００２の内周を結ぶ想像線の内径は、平坦部７００６に至るにつれて次第に小さくなる寸法で形成されている。
このような第１乃至第４の変形例においても第１の実施の形態と同様の効果が奏される。
【００２６】
なお、実施の形態では、複数の脚片７０が筐体１２に一体に形成されている場合について説明したが、脚片７０を筐体１２から着脱可能に形成してもよく、その場合には、ねじ２を筐体１２から取り外すことが可能となる。
また、実施の形態では、ねじ２が頭部４よりも大径のワッシャ５を有している場合について説明したが、ワッシャ５を有しないねじ２を用いてもよい。しかしながら、本実施の形態のようにワッシャ５を有するねじ２を用いると、ワッシャ５の面が脚片７０の端部７２に当接することでねじ２の姿勢の安定化を図る上で有利となる。
また、本実施の形態では、撮像装置１０が監視カメラである場合について説明したが、本発明は監視カメラに限定されるものではなく、種々の被写体を撮影するさまざまな撮像装置に広く適用可能である。
【図面の簡単な説明】
【００２７】
【図１】本実施の形態の撮像装置１０の斜視図である。
【図２】撮像装置１０の断面図である。
【図３】ドームカバーの断面図である。
【図４】ドーム型カバーを外した撮像装置１０の平面図である。
【図５】図４のＡＡ線断面図である。
【図６】回転支持機構１４から内カバー３０を外した状態を示す側面図である。
【図７】図６の平面図である。
【図８】撮像装置１０の制御系の構成を示すブロック図である。
【図９】（Ａ）はねじ２の頭部４が貫通孔６８に挿入された状態を示す説明図、（Ｂ）はねじ２の頭部４が脚片７０を押し広げた状態を示す説明図、（Ｃ）はねじ２の頭部４が脚片７０の端部７２に当接した状態を示す説明図、（Ｄ）はねじ２の頭部４が係止面６２に係止した状態を示す説明図である。
【図１０】図９（Ａ）からねじ２を取り除いたＺ１矢視図である。
【図１１】図９（Ｂ）のＺ２矢視図である。
【図１２】図９（Ｄ）のＺ３矢視図である。
【図１３】（Ａ）は第１の変形例の脚部７０の説明図、（Ｂ）は第２の変形例の脚部７０の説明図、（Ｃ）は第３の変形例の脚部７０の説明図、（Ｄ）は第４の変形例の脚部７０の説明図である。
【符号の説明】
【００２８】
１０……撮像装置、１２……筐体、１６……撮像部、５８……取り付け座、６０……ねじ挿通孔、６２……係止面、６６……壁部、６８……貫通孔、７０……脚片、７２……端部。
【図１】
0004900285.tif 000002
【図２】
0004900285.tif 000003
【図３】
0004900285.tif 000004
【図４】
0004900285.tif 000005
【図５】
0004900285.tif 000006
【図６】
0004900285.tif 000007
【図７】
0004900285.tif 000008
【図８】
0004900285.tif 000009
【図９】
0004900285.tif 000010
【図１０】
0004900285.tif 000011
【図１１】
0004900285.tif 000012
【図１２】
0004900285.tif 000013
【図１３】
0004900285.tif 000014